(57)【特許請求の範囲】
【請求項１】
流動体保持用の内袋と、この内袋の内部に固定されない状態で配置されたマニホールド部材とを備えた流動体の大量取扱用のマニホールド構造体であって、
前記マニホールド部材は、複数の管状脚を有し、
前記内袋は、内袋内に流動体を流し込むことができる流入口と、内袋内から流動体を排出できる排出口を備え、内袋の流動体に圧力をかけて前記マニホールド部材を通じて前記排出口から強制的に流出させ、内袋の残留物を減少させるように構成されていることを特徴とするマニホールド構造体。
【請求項２】
流動体を排出もしくは移し替える際に、袋内の残留量を減少させるように構成されていることを特徴とする請求項１に記載のマニホールド構造体。
【請求項３】
流動体の移し替えの際に折り畳まれた素材を開放された状態に保ち、最終段階でポンプがマニホールドを経由し残留物を吸い出し、それにより袋内の残留量を減らすように構成されていることを特徴とする請求項１または２に記載のマニホールド構造体。
【請求項４】
前記内袋を囲むように配置された周囲部材が、周囲部材と内袋の間に少なくとも一つのエアポケットもしくは通気区画を形成し、そのポケットは、ポケット内に空気を流入させることにより内袋に圧力をかけて、流動体を排出口から強制的に排出するための空気導入口を備えることを特徴とする先行する請求項の何れか１項に記載のマニホールド構造体。
【請求項５】
前記マニホールド部材は前記内袋の底面に配置され、前記排出口は前記内袋の底面から上方に伸びる一側面に配置されていることを特徴とする先行する請求項の何れか１項に記載のマニホールド構造体。
【請求項６】
周囲部材は、７つのエアポケットもしくは通気区画を持つことを特徴とする請求項４から５の何れか１項に記載のマニホールド構造体。
【請求項７】
流動体の大量取扱いのために、外箱もしくはコンテナの内部に配置されるように構成されたパッケージング構造体であって、
（ａ）流動体を保持するのに適し、流動体が流し込まれる流入口と、流動体が排出される排出口を持つ内袋と、
（ｂ）内袋を囲むとともに、周囲部材と内袋の間に少なくとも一つのエアポケットもしくは通気区画を成形するのに適した周囲部材を備え、そのポケットは、ポケット内に空気を流入させることにより内袋に圧力をかけ、流動体を前記排出口から強制的に排出するための空気導入口を備え、
（ｃ）内袋の内部に固定されない状態で配置され、流動体が前記排出口から強制的に排出されることを助け、それによって内袋の残留量を少なくする複数の管状脚を有するマニホールド部材と、を備えることを特徴とするパッケージング構造体。
【発明の詳細な説明】
【技術分野】
【０００１】
本発明は、マニホールド構造体に関するものである。さらに詳細には、本発明は流体、ペースト、および粉体のためのパッケージング構造体用のマニホールド構造体に関するものである。
【背景技術】
【０００２】
食品や薬品のような流体を運搬したり貯蔵したりするために、様々な種類のパッケージングが知られている。これら食品および薬品は、ポンプや加圧装置などの手段によって、あるいはそれ自身の重力によってパッケージングから取出されていた。
【０００３】
残念ながら、そのようなパッケージング構造体を完全にまた効率的に空にするのには、問題があった。
【０００４】
本発明の目的は、上記問題を解決する新しいマニホールド構造体を提案することである。
【発明の概要】
【課題を解決するための手段】
【０００５】
本発明によれば、流動体保持用内袋を持つ流動体の大量取扱用マニホールド構造体は、内袋の内部に固定されない状態で配置されたマニホールド部材を備えている。このマニホールド部材は、複数の管状脚を有する。また、内袋は、内袋内に流動体を流し込むことができる流入口と、内袋内から流動体を排出できる排出口を備え、内袋の流動体に圧力をかけてマニホールド部材を通じて前記流出口から強制的に流出させ、内袋の残留物を減少させるように構成されている。
【０００６】
また本発明によれば、流動体の大量取扱いのために、外箱もしくはコンテナの内部に配置されるように構成されたパッケージング構造体は、
（ａ）流動体を保持するのに適し、流動体が流し込まれる流入口と、流動体が排出される排出口を持つ内袋と、
（ｂ）内袋を囲むとともに、周囲部材と内袋の間に少なくとも一つのエアポケットもしくは通気区画を成形するのに適した周囲部材を備え、そのポケットは、ポケット内に空気を流入させることにより内袋に圧力をかけ、流動体を内袋の排出口から強制的に排出するための空気導入口を備え、
（ｃ）内袋の内部に固定されない状態で配置され、流動体が内袋の排出口から強制的に排出されることを助け、それによって内袋の残留量を少なくする複数の管状脚を有するマニホールド部材と、を備える。
【０００７】
さらに本発明によれば、流動体の大量取扱用のマニホールド構造体は、袋組み立ての最終段階でエアアシストバッグの内側の内袋内に封入されるルーズなマニホールド部材を備え、直ぐ使えるように充填され顧客に発送される。
【０００８】
マニホールド構造体の主な機能は、流動体を排出もしくは移し替える際に、袋の残留量を減らすことが出来ることである。
【０００９】
流動体を移し替える際には、袋の素材は中間バルクコンテナ（IBC）の底部に互いに折り畳まれ、内容物がせき止められるポケットを作る。これによって全ての内容物が袋から排出できなくなり、流動体の残留量が増える。
【００１０】
マニホールド構造体は、流動体の移し替え時に折り畳まれた素材を開放し、移し替えの最終段階でポンプがマニホールドを介して残留物を吸い出すことを可能とし、それにより袋内の流体物の残留量を減らす役割を果たす。
【００１１】
周囲部材は、内袋を囲むように配置され、周囲部材と内袋の間に少なくとも一つのエアポケットもしくは通気区画を形成し、そのポケットは、ポケット内に空気を流入させることにより内袋に圧力をかけて、流動体を排出口から強制的に排出するための空気導入口を備える。
【００１２】
マニホールド構造体は、内袋に差し込まれた、固定されていない装置としても良い。
【００１３】
マニホールド構造体は、プラスチック素材で構成しても良い。
【００１４】
マニホールド構造体は、不活性素材で構成しても良い。
【００１５】
マニホールド構造体は、射出成形しても良い。
【００１６】
マニホールド構造体は、一体形成部材としても良い。
【００１７】
パッケージング構造体は、フレキシブルであっても良い。
【００１８】
周囲部材は、少なくとも２層で構成されても良い。
【００１９】
周囲部材は、７つのエアポケットもしくは通気区画を持っても良い。
【００２０】
パッケージング構造体は、気胞状でも良い。
【００２１】
パッケージング構造体は、外側から、液体、ペースト、粉体などが見えるように、透明素材で構成されても良い。
【００２２】
外箱やコンテナは、中間バルクコンテナ（IBC）であっても良い。
【００２３】
パッケージング構造体は、液体ライナであっても良い。
【００２４】
流動体は、粉状体、ペースト状体、流体や液体であっても良い。
【００２５】
中間バルクコンテナは、５０から５００ガロン、言い換えれば約１８９から２０００リットルの容量を持つものとしても良い。
【００２６】
本発明は、材料の大量運搬方法や、ここに記載されているマニホールド構造体の製造方法にも拡張することができる。
【図面の簡単な説明】
【００２７】
以下に本発明を、添付の概略図を参照しつつ、実施例によって、説明する。
【図１】本発明のマニホールド構造体を様々な角度から見た図面である。
【図２】マニホールドが設置されたパッケージング構造体の上面断面図である。
【図３】排出口を見せるため、外箱もしくはコンテナ部分を切り抜いた、図２に示されるパッケージング構造体の正面図である。
【発明を実施するための形態】
【００２８】
これら図面において、本発明における中間バルクコンテナ用のマニホールド構造体が、全体として符号１０で示されている。
【００２９】
流動体の大量取扱い用のマニホールド構造体１０は、４つの管状脚１４、１６、１８、２０を持つマニホールド部材１２を備える。しかし、管状脚の数は任意である。マニホールド部材１２は、流動体を保持する内袋２２内の底面２２ａに設置される。
【００３０】
内袋２２は、流動体が内袋２２に流し込まれる流入口２４と、流動体が内袋２２から排出される排出口２６を持ち、排出口２６を通って内袋２２から流動体を強制的に排出できるようになっている。流入口２４と排出口２６はともに内袋の側面２２ｂに形成されている。
【００３１】
内袋２２を囲む周囲部材２８は、周囲部材２８と内袋２２の間に少なくとも一つのエアポケットもしくは通気区画を形成するように構成されている。そのポケットは、ポケット内に空気を流入させることにより内袋２２に圧力をかけ、排出口２６から内袋２２の流動体を強制的に排出するための空気導入口を持つ。
【００３２】
マニホールド構造体１０は、内袋組み立て工程の最終段階で、内袋２２の内部底面に設置される固定されていないルーズな部材である。内袋はマニホールド構造体を封入した状態で閉じられ、直ぐ使えるように充填され顧客に発送される。マニホールド構造体１０の主な機能は、流動体の移し替えの際、内袋２２内の残留量を減らすことである。流動体の移し替え時には、内袋２２のライニングは、中間バルクコンテナ（IBC）の底部に折り畳まれ、内容物がせき止められるポケットを作る。これにより、全ての内容物を袋からポンプで排出することが出来なくなるため、流動体の残留量が増える。この場合、マニホールド構造体１０は、流動体の移し替え時に折り畳まれたライニングを開放し、移し替えの最終段階でポンプがマニホールドを介して残留物を吸い出すことを可能とする。それにより袋内の流体物の残留量を減らす。
【００３３】
上記の通り、マニホールド構造体１０は、内袋に挿入された固定されていない部材である。
【００３４】
マニホールド構造体１０は、プラスチック素材で構成されている。
【００３５】
マニホールド構造体１０は、不活性素材で構成されている。
【００３６】
マニホールド構造体１０は、射出成形することができる。
【００３７】
マニホールド構造体１０は、一体的成形品とすることも出来る。
【００３８】
パッケージング構造体は、フレキシブルである。
【００３９】
周囲部材は、少なくとも２層で構成されている。
【００４０】
周囲部材は、様々はエアポケットもしくは通気区間を持つことが出来る。
【００４１】
パッケージング構造体は、気胞状である。
【００４２】
パッケージング構造体は、外側から、液体、ペースト、粉体などが見えるように、透明素材で構成されている。
【００４３】
外箱やコンテナは、中間バルクコンテナ（IBC）である。
【００４４】
パッケージング構造体は、液体ライナである。
【００４５】
流動体は、粉状体、ペースト状体、流体や液体とすることができる。
【００４６】
中間バルクコンテナは、５０から５００ガロン、言い換えれば約１８９から２０００リットルの容量を持つことが出来る。
【００４７】
本発明は、流動体の大量取扱いのために、外箱もしくはコンテナの内部に配置されるように構成されたパッケージング構造体のためのマニホールド構造体を提供する。このパッケージング構造体は、
（ａ）流動体を保持するのに適し、流動体が流し込まれる流入口と、流動体が排出される排出口を持つ内袋と、
（ｂ）内袋を囲むとともに、周囲部材と内袋の間に少なくとも一つのエアポケットもしくは通気区画を成形するのに適した周囲部材を備え、そのポケットは、ポケット内に空気を流入させることにより内袋に圧力をかけ、流動体を前記排出口から強制的に排出するための空気導入口を備え、
（ｃ）内袋の内部に固定されない状態で配置され、流動体が前記排出口から強制的に排出されることを助ける複数の管状脚を有するマニホールド部材と、を備える。
【図１】
0006316950.tif 000002
【図２】
0006316950.tif 000003
【図３】
0006316950.tif 000004